(57)【要約】【課題】使用頻度が交換時期に到達した駆動部がある場合に、当該駆動部と同等の駆動動作が可能な駆動部を駆動させるための手間を軽減すること。【解決手段】複数の駆動部品３００を有する画像形成装置において、情報を表示する表示部１１４と、駆動部品３００の中に使用頻度が所定の割合に到達した給紙ローラＡがある場合、当該給紙ローラＡの名称、給紙ローラＡの駆動カウント数、駆動モード３０１、給紙ローラＡの駆動情報及び給紙ローラＡと同等の駆動動作が可能な給紙ローラＢの名称、給紙ローラＢの駆動カウント数、駆動モード３０１、給紙ローラＢの駆動情報を表示部１１４に表示させる。【選択図】図１
2009122512.tif 000002
【特許請求の範囲】
【請求項１】
複数の駆動部を有する画像形成装置において、
情報を表示する表示部と、
前記駆動部の中に使用頻度が所定の割合に到達した第１の駆動部がある場合、当該第１の駆動部の駆動に関する第１の情報及び当該第１の駆動部と同等の駆動動作が可能な第２の駆動部の駆動に関する第２の情報を前記表示部に表示させる第１の制御部と、
を備える画像形成装置。
【請求項２】
前記駆動部の使用頻度を含んだ第３の情報を記憶する第１の記憶部を備え、
前記第１の制御部は、
前記駆動部の中に前記第１の駆動部がある場合、前記第１の記憶部に記憶された第３の情報を参照して、前記第２の駆動部が存在するか否かを判別し、前記第２の駆動部が存在すると判別された場合に、当該存在すると判別された前記第２の駆動部の駆動に関する前記第２の情報を前記表示部に表示させる請求項１に記載の画像形成装置。
【請求項３】
情報の操作入力を受け付ける操作部を備え、
前記第１の制御部は、
前記表示部に表示された第２の情報のうち、一の第２の情報の選択入力が前記操作部を介して受け付けられた場合、当該受け付けられた前記第２の情報に対応する前記第２の駆動部を駆動させる請求項１又は２に記載の画像形成装置。
【請求項４】
情報の操作入力を受け付ける操作部を備え、
前記操作部は、
前記第１の情報を前記表示部に表示するか否かの設定入力、又は前記駆動部の中に前記第２の駆動部がある場合に前記第２の駆動部を駆動させる駆動モードに設定を変更するか否かの設定入力を受け付ける請求項１から３のいずれか一項に記載の画像形成装置。
【請求項５】
前記第１の情報は、
前記第１の駆動部の名称、前記第１の駆動部の使用頻度、前記第１の駆動部の駆動モード、又は当該駆動モードの駆動情報である請求項１に記載の画像形成装置。
【請求項６】
前記第２の情報は、
前記第２の駆動部の名称、前記第２の駆動部の使用頻度、前記第２の駆動部の駆動モード、又は当該駆動モードの設定情報である請求項１に記載の画像形成装置。
【請求項７】
前記駆動部は、
給紙駆動機構、排紙駆動機構、又は反転排紙駆動機構である請求項１に記載の画像形成装置。
【請求項８】
他の画像形成装置と通信を行う第１の通信部を備え、
前記第１の制御部は、
前記第２の駆動部が存在しないと判別された場合に、前記第１の通信部を介して前記他の画像形成装置に前記第２の駆動部が存在するか否かを判別する要求を送信し、前記第１の通信部を介して前記他の画像形成装置から前記第２の駆動部が存在することを示す情報を受信した場合、当該存在する第２の駆動部に関する前記第２の情報を前記表示部に表示させ、当該表示された第２の情報のうち、一の第２の情報の選択入力が前記操作部により受け付けられた場合、当該受け付けられた第２の情報に対応する前記第２の駆動部を駆動させる要求を前記第１の通信部を介して前記他の画像形成装置に送信する請求項３に記載の画像形成装置。
【請求項９】
請求項８に記載の画像形成装置と、
前記他の画像形成装置と、を備え、
前記他の画像形成装置は、
前記画像形成装置と通信を行う第２の通信部と、
前記第３の情報を記憶する第２の記憶部と、
前記第２の通信部を介して前記第２の駆動部が存在するか否かを判別する要求を前記画像形成装置から受信した場合に、前記第２の記憶部に記憶された前記第３の情報を参照して、前記第２の駆動部が存在するか否かを判別し、前記第２の駆動部が存在する場合に、前記第２の駆動部が存在することを示す情報を前記第２の通信部を介して前記画像形成装置に送信し、前記第２の通信部を介して前記画像形成装置から前記第２の駆動部を駆動させる要求を受信した場合に、当該受信した第２の駆動部を駆動させる第２の制御部と、
を備える画像形成システム。
【発明の詳細な説明】
【技術分野】
【０００１】
本発明は、画像形成装置及び画像形成システムに関する
【背景技術】
【０００２】
従来より、画像形成装置の駆動部（例えば、ローラ、モーター等）の積算駆動時間、積算駆動回数といった使用頻度を表示部に表示することにより、駆動部の交換時期をユーザに知らせる技術が知られている（例えば、特許文献１参照）。    
【特許文献１】特開２００３−１４５８９０号公報
【発明の開示】
【発明が解決しようとする課題】
【０００３】
しかしながら、上述の技術では、使用頻度が交換時期に到達した駆動部がある場合、当該駆動部と同等の駆動動作が可能な駆動部を駆動させるために手間を要していた。
例えば、いま、画像形成装置の駆動部である給紙ローラＡの使用頻度が交換時期に到達したとする。この場合、給紙ローラＡは駆動させることができない。したがって、給紙ローラＡと同等の駆動動作（例えば、サイズが同じ用紙を給紙する動作）が可能な給紙ローラ（例えば、給紙ローラＢ）を駆動させなければ、給紙ローラＡが駆動された場合と同等の結果を得ることができない。この場合、上記の技術では、給紙ローラＢに関する情報（例えば、給紙ローラＢの名称を示した情報等）は表示部に表示されない。そうすると、ユーザは、給紙ローラＢを駆動するための設定を行い、給紙ローラＢを駆動させなければならない。このとき、給紙ローラＢを駆動するための設定を行うこと（例えば、給紙ローラＢにより給紙される用紙のサイズが給紙ローラＡにより給紙される用紙のサイズと同じことを確認し、給紙ローラＢを駆動させる設定を行うこと）は、ユーザレベルでは困難な作業であり、手間を要していた。
【０００４】
本発明の課題は、使用頻度が交換時期に到達した駆動部がある場合に、当該駆動部と同等の駆動動作が可能な駆動部を駆動させるための手間を軽減することである。
【課題を解決するための手段】
【０００５】
上記課題を解決するため、請求項１に記載の発明の画像形成装置は、
複数の駆動部を有する画像形成装置において、
情報を表示する表示部と、
前記駆動部の中に使用頻度が所定の割合に到達した第１の駆動部がある場合、当該第１の駆動部の駆動に関する第１の情報及び当該第１の駆動部と同等の駆動動作が可能な第２の駆動部の駆動に関する第２の情報を前記表示部に表示させる第１の制御部と、
を備える。
【０００６】
請求項２に記載の発明は、請求項１に記載の画像形成装置において、
前記駆動部の使用頻度を含んだ第３の情報を記憶する第１の記憶部を備え、
前記第１の制御部は、
前記駆動部の中に前記第１の駆動部がある場合、前記第１の記憶部に記憶された第３の情報を参照して、前記第２の駆動部が存在するか否かを判別し、前記第２の駆動部が存在すると判別された場合に、当該存在すると判別された前記第２の駆動部の駆動に関する前記第２の情報を前記表示部に表示させる。
【０００７】
請求項３に記載の発明は、請求項１又は２に記載の画像形成装置において、
情報の操作入力を受け付ける操作部を備え、
前記第１の制御部は、
前記表示部に表示された第２の情報のうち、一の第２の情報の選択入力が前記操作部を介して受け付けられた場合、当該受け付けられた前記第２の情報に対応する前記第２の駆動部を駆動させる。
【０００８】
請求項４に記載の発明は、請求項１から３のいずれか一項に記載の画像形成装置において、
情報の操作入力を受け付ける操作部を備え、
前記操作部は、
前記第１の情報を前記表示部に表示するか否かの設定入力、又は前記駆動部の中に前記第２の駆動部がある場合に前記第２の駆動部を駆動させる駆動モードに設定を変更するか否かの設定入力を受け付ける。
【０００９】
請求項５に記載の発明は、請求項１に記載の画像形成装置において、
前記第１の情報は、
前記第１の駆動部の名称、前記第１の駆動部の使用頻度、前記第１の駆動部の駆動モード、又は当該駆動モードの駆動情報である。
【００１０】
請求項６に記載の発明は、請求項１に記載の画像形成装置において、
前記第２の情報は、
前記第２の駆動部の名称、前記第２の駆動部の使用頻度、前記第２の駆動部の駆動モード、又は当該駆動モードの設定情報である。
【００１１】
請求項７に記載の発明は、請求項１に記載の画像形成装置において、
前記駆動部は、
給紙駆動機構、排紙駆動機構、又は反転排紙駆動機構である請求項１に記載の画像形成装置。
【００１２】
請求項８に記載の発明は、請求項３に記載の画像形成装置において、
他の画像形成装置と通信を行う第１の通信部を備え、
前記第１の制御部は、
前記第２の駆動部が存在しないと判別された場合に、前記第１の通信部を介して前記他の画像形成装置に前記第２の駆動部が存在するか否かを判別する要求を送信し、前記第１の通信部を介して前記他の画像形成装置から前記第２の駆動部が存在することを示す情報を受信した場合、当該存在する第２の駆動部に関する前記第２の情報を前記表示部に表示させ、当該表示された第２の情報のうち、一の第２の情報の選択入力が前記操作部により受け付けられた場合、当該受け付けられた第２の情報に対応する前記第２の駆動部を駆動させる要求を前記第１の通信部を介して前記他の画像形成装置に送信する。
【００１３】
請求項９に記載の発明の画像形成システムは、
請求項８に記載の画像形成装置と、
前記他の画像形成装置と、を備え、
前記他の画像形成装置は、
前記画像形成装置と通信を行う第２の通信部と、
前記第３の情報を記憶する第２の記憶部と、
前記第２の通信部を介して前記第２の駆動部が存在するか否かを判別する要求を前記画像形成装置から受信した場合に、前記第２の記憶部に記憶された前記第３の情報を参照して、前記第２の駆動部が存在するか否かを判別し、前記第２の駆動部が存在する場合に、前記第２の駆動部が存在することを示す情報を前記第２の通信部を介して前記画像形成装置に送信し、前記第２の通信部を介して前記画像形成装置から前記第２の駆動部を駆動させる要求を受信した場合に、当該受信した第２の駆動部を駆動させる第２の制御部と、
を備える。
【発明の効果】
【００１４】
請求項１に記載の発明によれば、駆動部の中に使用頻度が所定の割合に到達した第１の駆動部がある場合、当該第１の駆動部の駆動に関する第１の情報及び第２の駆動部の駆動に関する第２の情報を表示部に表示させる。これにより、ユーザは、第２の駆動部の駆動に関する第２の情報を参照できるので、第１の駆動部の使用頻度が所定の割合に到達した場合に、当該第１の駆動部と同等の駆動動作が可能な第２の駆動部を駆動させるための手間を軽減することができる。
【００１５】
請求項２に記載の発明によれば、駆動部の使用頻度を含んだ第３の情報を参照して、第２の駆動部が存在するか否かを判別する。これにより、使用頻度の高い駆動部の駆動を避けることができるので、駆動部の消耗の均一化を図ることができる。また、駆動部の消耗の均一化を図ることができるので、駆動部の交換時期が集中化し、駆動部の交換時期ごとにメンテナンス作業を行う必要がなくなる。また、駆動部の交換時期が集中化することにより、機器が使用できない時間（ダウンタイム）の低減を図ることができる。
【００１６】
請求項３に記載の発明によれば、表示部に表示された第２の情報のうち、一の第２の情報の選択入力が操作部により受け付けられた場合、当該受け付けられた第２の情報に対応する第２の駆動部を駆動させる。これにより、ユーザは、所望の第２の駆動部を駆動させることができる。したがって、交換時期に到達した駆動部の変更が強制的（自動的）に行われる画像形成装置と比べて、所望の駆動部が選択されないことによるユーザの不満を招くことがない。
【００１７】
請求項４に記載の発明によれば、ユーザは、第１の情報を表示部に表示するか否かの設定入力、又は駆動部の中に第１の駆動部がある場合に第２の駆動部を駆動させるか否かの設定入力を行うことができる。
【００１８】
請求項５に記載の発明によれば、第１の情報は、第１の駆動部の名称、第１の駆動部の使用頻度、第１の駆動部の駆動モード、又は当該駆動モードの駆動情報である。
【００１９】
請求項６に記載の発明によれば、第２の情報は、第２の駆動部の名称、第２の駆動部の使用頻度、第２の駆動部の駆動モード、又は当該駆動モードの駆動情報である。
【００２０】
請求項７に記載の発明によれば、駆動部は、給紙駆動機構、排紙駆動機構、又は反転排紙駆動機構である。
【００２１】
請求項８、９に記載の発明によれば、画像形成装置に第２の駆動部が存在せず、他の画像形成装置に第２の駆動部が存在する場合、他の画像形成装置に存在する第２の駆動部を駆動させることができる。
【発明を実施するための最良の形態】
【００２２】
以下、添付図面を参照して本発明に係る実施の形態を詳細に説明する。ただし、発明の範囲は図示例に限定されない。
【００２３】
図１〜図１１を参照して、本発明に係る実施の形態を説明する。先ず、図１を参照して、画像形成装置１の概略構成について説明する。
画像形成装置１は、主な構成要素として自動原稿搬送装置１０、原稿読取装置２０、プリンタ装置３０を備える。
【００２４】
自動原稿搬送装置１０は、原稿載置トレイ１１に積載される原稿Ｄを原稿読取装置２０の読取個所に一枚ずつ搬送するものである。また、原稿Ｄが両面原稿の場合、自動原稿搬送装置１０は原稿Ｄの片面読取り後に原稿Ｄの表裏を反転して再び原稿読取装置２０へ原稿Ｄを搬送する。
自動原稿搬送装置１０が備える各構成要素には、原稿載置トレイ１１に積載される原稿Ｄを最上部から順に搬送する第１給紙ローラ１２と、原稿Ｄの読取個所であるコンタクトガラスに原稿Ｄを密着させながら通過させるための密着ローラ１３と、第１給紙ローラ１２により搬送された原稿Ｄを密着ローラ１３に沿って案内する案内ローラ１４と、コンタクトガラスを通過した原稿Ｄの搬送方向を切替る切替爪１５と、原稿Ｄの表裏を反転させるための反転ローラ１６と、読取りが完了した原稿Ｄが排紙される排紙トレイ１７がある。
【００２５】
原稿読取装置２０は、自動原稿搬送装置１０により搬送された原稿Ｄから画像を読取り、当該画像を表す画像データを生成し、制御部１１０（図２参照）に出力する。原稿読取装置２０が備える各構成要素には、光源２３及びミラー２４を備えた露光走査部２５と、原稿Ｄからの反射光を受光しその光量信号を電気信号へと光電変換するラインイメージセンサ２６と、原稿Ｄからの反射光をラインイメージセンサ２６へ集光する集光レンズ２７と、露光走査部２５のミラー２４からの反射光をラインイメージセンサ２６へ導くための光学経路を形成する各種ミラー２８と、プラテンガラス上に原稿Ｄを検知するプラテンセンサ（図示省略）がある。
【００２６】
プリンタ装置３０は、ジョブの画像データに基づき電子写真プロセスにより用紙Ｐ上に画像を形成するものである。
プリンタ装置３０が備える主な構成要素には、画像データに応じてＯＮ／ＯＦＦするレーザ光を出力するレーザユニット３１と、表面に静電潜像が形成される感光体３２と、その周囲に配置された帯電装置３３と、現像装置３４と、転写装置３５と、分離装置３６と、クリーニング装置３７がある。
【００２７】
その他の構成要素として、複数の給紙カセット４１Ａ，４１Ｂ，４１Ｃを備える給紙部４０と、給紙カセット４１Ａ，４１Ｂ，４１Ｃのそれぞれに収容された用紙Ｐを、駆動部としての第１給紙ローラ４２Ａ，４２Ｂ，４２Ｃにより一枚ずつ搬送する搬送部５０と、搬送部５０の下流に位置する定着装置５８を通った用紙Ｐを機外へ排紙する通常搬送路６０ａ及び反転搬送路６０ｂと、用紙の搬送路を切替る駆動部としての搬送路切替爪６１と、用紙の表裏面を反転させて排紙させるための駆動部としての反転ローラ６２と、機外への用紙出力を検出する排紙センサ６３と、排紙部６４がある。
【００２８】
次に、同図を参照して、スタッカ装置２００、３００について説明する。
スタッカ装置２００，３００は、同様の構成である。以下、スタッカ装置２００を代表して説明する。スタッカ装置２００は、主な機械的構成要素として主積載部２１０、副積載部２１１を備える。
主積載部２１０は、スタッカ装置２００の内部に収納されており、昇降自在の昇降部２１３を備えることで大量の用紙Ｐを積載することができる排紙トレイである。昇降部２１３は用紙Ｐが積載されていないときには最上部に位置し、用紙Ｐが積載されるにつれて下降する。操作者は、スタッカ装置２００の図示しない扉を開けることにより昇降部２１３に積載されている用紙Ｐを取り出すことができる。
【００２９】
副積載部２１１は、スタッカ装置２００の上部表面に位置し、外部に露出した排紙トレイである。操作者は、副積載部２１１に積載された用紙Ｐを外部から目視確認することができる。
【００３０】
その他の構成要素として、画像形成装置１から排紙された用紙Ｐが搬入する搬入口２２１、搬入口２２１から主積載部２１０に搬送するための主積載経路２３１、主積載経路２３１から分岐して用紙Ｐを搬出口２２２に搬送するための搬出経路２３２、搬出経路２３２から分岐して用紙Ｐを副積載部２１１に搬送するための副積載経路２３３、用紙Ｐを主積載経路２３１から搬出経路２３２への切替を行う主切替爪２４１、用紙Ｐを搬出経路２３２から副積載経路２３３への切替を行う副切替爪２４２がある。画像形成装置１から排紙された用紙Ｐは、スタッカ装置２００又はスタッカ装置３００のいずれかに積載される。
【００３１】
次に、図２を参照して、画像形成装置１の内部構成を説明する。図２に示すように画像形成装置１は、第１の制御部としての制御部１１０と、画像入力部１１１と、第１の記憶部としての記憶部１１２と、操作部１１３と、表示部１１４と、画像処理部１１５と、プリント制御部１１６と、プリント部１１７と、通信部１１８と、カウント部１１９と、後処理装置１２０と、を備えて構成されている。
【００３２】
制御部１１０は、ＣＰＵ（Central Processing Unit）、ＲＡＭ（Random Access Memory）、ＲＯＭ（Read  Only  Memory）（以上、図示省略）等により構成され、画像形成装置１を構成する各機能に対する指示や、当該機能部間のデータ通信等を制御する。具体的には、ＲＯＭに記憶されているシステムプログラム及び各種アプリケーションプログラムの中から指定されたプログラムをＲＡＭに展開し、ＲＡＭに展開されたプログラムとＣＰＵとの協働で、各種処理を実行する。特に、ＲＯＭには、後述する設定変更プログラムが記憶される。
【００３３】
制御部１１０は、表示制御部１１０Ａと、判別部１１０Ｂと、駆動制御部１１０Ｃと、を備える。
表示制御部１１０Ａは、駆動部としての駆動部品３００の中に使用頻度が所定の割合に到達した第１の駆動部がある場合、当該第１の駆動部に関する第１の情報及び当該第１の駆動部と同等の駆動動作が可能な第２の駆動部に関する第２の情報を表示部１１４に表示させる。
第１の駆動部とは、使用頻度が所定の割合に到達した駆動部品３００（図３参照）のことをいう。第１の駆動部は、後述する給紙ローラＡ（給紙ローラ４２Ａ）に該当する。所定の割合とは、駆動部品３００の使用（駆動）リミット値の約８０％の割合のことをいう。第１の情報は、後述する給紙ローラＡの名称、給紙ローラＡの駆動カウント数、給紙ローラＡの駆動モード３０１、給紙ローラＡの駆動情報に該当する。第２の駆動部は、使用頻度が所定の割合に到達した駆動部品と同等の駆動動作が可能な駆動部品のことをいう。第２の駆動部は、後述する給紙ローラＢ（給紙ローラ４２Ｂ），給紙ローラＣ（給紙ローラ４２Ｃ）に該当する。第２の情報は、給紙ローラＢの名称、給紙ローラＢの駆動カウント数、給紙ローラＢの駆動モード３０１、給紙ローラＢの駆動情報、又は、給紙ローラＣの名称、給紙ローラＣの駆動カウント数、給紙ローラＣの駆動モード３０１、給紙ローラＣの駆動情報に該当する。
【００３４】
判別部１１０Ｂは、駆動部品３００の中に第１の駆動部がある場合、記憶部１１２に記憶された使用頻度を含む第３の情報を参照して、第２の駆動部が存在するか否かを判別する。
第３の情報とは、後述する駆動モード３０１、判別情報、駆動情報、用紙設定情報、使用頻度に該当する。駆動モード３０１は、駆動部品３００が駆動動作を行う際に使用される部品の情報を示す。駆動モード３０１は、後述する判別テーブル３Ａにおける給紙トレイ３０１Ａ、反転排紙３０１Ｂに該当する。判別情報は、駆動部品３００の駆動モードの設定が可能か否かの情報を示す。判別情報は、後述する判別テーブル３Ａの「可」「不可」に該当する。駆動情報は、駆動部品３００が駆動動作を行う際に使用される部品の情報を示す。駆動情報は、後述する判別テーブル３Ａにおける「給紙トレイ１」「給紙トレイ２」等に該当する。用紙設定情報は、用紙の紙種、重さ、色の情報のことをいう。用紙設定情報は、後述する用紙設定テーブル４Ａに記憶される。使用頻度は、駆動部品３００の駆動カウント数を示す。駆動部品３００の駆動カウント数は、カウントテーブル（図示省略）に記憶される。
【００３５】
駆動制御部１１０Ｃは、表示制御部１１０Ａにより表示された第２の情報のうち、一の第２の情報の選択入力が操作部１１３により受け付けられた場合、当該受け付けられた第２の情報に対応する駆動モード設定を変更して駆動部品３００を駆動させる。第２の情報に対応する駆動モード設定を変更して駆動部品３００を駆動させるとは、例えば、第２の情報として、給紙ローラＢの名称、カウント数、駆動モードの選択入力が操作部１１３により受け付けられた場合（すなわち、後述する給紙ローラＢボタン７１Ｄが操作部１１３を介して受け付けられた場合）、給紙ローラＢを駆動させることをいう。
【００３６】
画像入力部１１１は、スキャナを備えて原稿Ｄの画像を読み取り、その画像データを生成する。生成された画像データは制御部１１０の制御により記憶部１１２又はプリント制御部１１６等に転送される。
【００３７】
記憶部１１２は、ＨＤＤ（Hard Disk Drive）等の記憶媒体である。記憶部１１２は、制御部１１０の制御に従って画像データを記憶するとともに、当該画像データを制御部１１０に出力する。また、記憶部１１２は、後述する判別テーブル３Ａ、用紙設定テーブル４Ａ、カウントテーブル（図示省略）を記憶する。
【００３８】
操作部１１３は、タッチパネルの他、操作キー（ハードキー）群を備えて構成され、ユーザにより情報の操作入力を受け付けると、その操作入力に応じた操作信号を生成して制御部１１０に出力する。
【００３９】
表示部１１４は、タッチパネルと一体に構成されたディスプレイを備えている。表示部１１４は、制御部１１０の指示に従って、後述する表示画面Ｇ５、表示画面Ｇ６、表示画面Ｇ７、表示画面Ｇ８、表示画面Ｇ９を表示する。
【００４０】
画像処理部１１５は、画像データに対して、階調変換処理、拡大／縮小処理等の各種データ処理を施す。
【００４１】
プリント制御部１１６は、ＣＰＵ、ＲＡＭ等により構成されており、制御部１１０からの指示に従ってプリント部１１７のプリント動作を制御する。例えば、プリント動作の開始、停止、終了の動作制御の他、プリント用の画像データのプリント部１１７への出力制御を行う。
【００４２】
プリント部１１７は、入力されたプリント用の画像データに基づいて用紙上に画像形成を行う。プリント部１１７のプリント方式としては、例えば電子写真方式、インクジェット方式等、何れのプリント方式を採用してもよい。電子写真方式では、レーザ光源から感光ドラム上にレーザ光を照射して露光を行い、静電潜像を形成する。これに現像部がトナーを付着させてできたトナー像を用紙Ｐに転写して画像形成を行う。  
【００４３】
通信部１１８は、ネットワークインターフェイスカード、ＦＡＸモデム等の通信用インターフェイスを備え、通信ネットワークＮ上の外部装置と通信を行う。ここで、外部装置とは、後述する画像形成装置１ｂ、１ｃのことをいう。カウント部１１９は、駆動部品３００の駆動カウント数をカウントする。カウント部１１９によりカウントされた駆動カウント数は、記憶部１１２に記憶される。
【００４４】
後処理装置１２０は、制御部１１０の制御に従い、プリント部１１７からの用紙（画像形成されているもの）に対し、各種後処理を施す。
【００４５】
次に、図３を参照して、判別テーブル３Ａについて説明する。判別テーブル３Ａは、駆動部としての駆動部品３００と、駆動モード３０１と、を有する。駆動部品３００の第１の駆動部としての給紙ローラＡは、給紙ローラ４２Ａに該当する。給紙ローラＢは、給紙ローラ４２Ｂに該当する。給紙ローラＣは、給紙ローラ４２Ｃに該当する。給紙ローラＡ〜Ｃは、給紙駆動機構に該当する。また、反転排紙ローラは、反転ローラ６２に該当する。反転排紙切替ソレノイドは、搬送路切替爪６１に該当する。反転排紙ローラ及び反転排紙切替ソレノイドは、反転排紙機構に該当する。
【００４６】
駆動モード３０１は、給紙トレイ３０１Ａと、反転排紙３０１Ｂと、を有する。給紙トレイ３０１Ａは、駆動部品３００が給紙トレイ（給紙カセット４１Ａ，４１Ｂ，４１Ｃ）を使用して駆動動作を行うモード（設定）を示す。例えば、給紙ローラＡが給紙カセット４１Ａに格納されている用紙Ｐを搬送する駆動動作を行うモードのことをいう。反転排紙３０１Ｂは、用紙Ｐを反転して駆動動作を行うモードを示す。例えば、搬送路切替爪６１及び反転ローラ６２により用紙Ｐを反転させて駆動動作を行うモードのことをいう。
【００４７】
また、判別テーブル３Ａには、判別情報、駆動情報が記憶されている。判別情報は、判別テーブル３Ａの「可」「不可」の情報に該当する。駆動情報は、判別テーブル３Ａの判別情報「可」「不可」の下の括弧書きに記載されている情報（例えば、「給紙トレイ１」、「給紙トレイ２」の情報）に該当する。
例えば、給紙ローラＡの給紙トレイ３０１Ａには判別情報「可」が記憶されている。この場合、給紙ローラＡは、駆動モード３０１として給紙トレイ３０１Ａの設定が可能であることを示している。また、給紙ローラＡの給紙トレイ３０１Ａには、駆動情報「トレイ１」が記憶されている。この場合、給紙ローラＡは、トレイ１（給紙カセット４１Ａ）を使用して駆動動作が行われる。また、駆動モード３０１の判別情報「可」である駆動部品３００が複数ある場合、これらの駆動部品３００は、同じ駆動動作が可能であることを示す。例えば、図３の場合、給紙ローラＡ、給紙ローラＢ、給紙ローラＣは、給紙トレイ３０１Ａの判別情報が「可」である。この場合、給紙ローラＡ、給紙ローラＢ、給紙ローラＣは、同じ駆動動作（例えば、サイズが同じ用紙を給紙する動作）が可能であることを示す。
【００４８】
ここで、駆動部品３００の使用頻度が所定の割合に到達した場合、当該駆動部品３００と同等の駆動動作を有する駆動部品３００を検索する方法について説明する。例えば、いま、給紙ローラＡの使用頻度が所定の割合に到達したとする。この場合、給紙ローラＡの駆動モード３０１の給紙トレイ３０１Ａと同じ駆動モード３０１を有する駆動部品３００の検索が行われる。具体的には、判別テーブル３Ａの駆動モード３０１の給紙トレイ３０１Ａが参照され、当該給紙トレイ３０１Ａの判別情報が「可」である駆動部品３００の検索が行われる。図３の場合、給紙トレイ３０１Ａの判別情報が「可」である駆動部品３００は、給紙ローラＢ、給紙ローラＣである。
【００４９】
そして、図４に示す用紙設定テーブル４Ａが参照される。具体的には、給紙ローラＡの駆動時に用いられる「トレイ１」の用紙設定情報と、給紙ローラＢの駆動時に用いられる「トレイ２」の用紙設定情報、又は「トレイ１」の用紙設定情報と、給紙ローラＣの駆動時に用いられる「トレイ３」の用紙設定情報と、が一致するか否かが判別される。図４の場合、「トレイ１」〜「トレイ３」の用紙設定情報（紙種、重さ、色）は、全て一致する。この場合、給紙ローラＡと同等の駆動動作が可能な駆動部品３００として、給紙ローラＢ、給紙ローラＣが抽出される。
【００５０】
そして、駆動部品３００の駆動カウント数（使用頻度）を記録しているカウントテーブル（図示省略）が参照される。カウントテーブルは、記憶部１１２に記憶されている。具体的には、カウントテーブルに記録された駆動カウント数が参照され、給紙ローラＢ、給紙ローラＣの使用頻度が所定の割合に到達していないか否かが判別される。給紙ローラＢ、給紙ローラＣの使用頻度が所定の割合に到達していない場合、給紙ローラＢの名称、給紙ローラＢの駆動カウント数、給紙ローラＢの駆動モード３０１、給紙ローラＢの駆動情報又は給紙ローラＣの名称、給紙ローラＣの駆動カウント数、給紙ローラＣの駆動モード３０１、給紙ローラＣの駆動情報が表示部１１４に表示される。
【００５１】
次に、図５を参照して、表示画面Ｇ５について説明する。表示画面Ｇ５は、使用頻度が所定の割合に到達（交換時期に到達）した駆動部品３００の情報を表示する画面である。表示画面Ｇ５は、交換部品表示部Ｇ５１を有する。交換部品表示部５１は、交換部品表示部Ｇ５２と、カウント／リミット表示部Ｇ５３と、駆動モード表示部Ｇ５４と、を有する。交換部品表示部Ｇ５２は、交換時期に到達した駆動部品３００の名称を示す。カウント／リミット表示部Ｇ５３は、駆動カウント数を示す。駆動カウント数とは、駆動部品３００のリミット（駆動可能なカウント数）に対する現時点の駆動カウント数のことをいう。駆動モード表示部Ｇ５４は、駆動モード３０１及び駆動情報を示す。
【００５２】
次に、図６を参照して、表示画面Ｇ６について説明する。表示画面Ｇ６は、駆動部品３００の駆動モード３０１を設定するための画面である。表示画面Ｇ６は、トレイ設定ボタンＧ６１を含む。トレイ設定ボタンＧ６１は、トレイ（給紙カセット４１Ａ，４１Ｂ，４１Ｃ）を選択するためのボタンである。トレイ設定ボタンＧ６１は、トレイボタンＧ６１Ａ〜Ｇ６１Ｅを含む。例えば、ユーザによりトレイボタンＧ６１Ａが押下されると、トレイ１（給紙カセット４１Ａ）が設定される。この場合、駆動部品３００として給紙ローラＡが駆動される。
【００５３】
次に、図７を参照して、表示画面Ｇ７について説明する。表示画面Ｇ７は、交換時期に到達した駆動部品３００の駆動に関する情報及び当該駆動部品３００と同等の駆動動作が可能な駆動部品３００の駆動に関する情報を表示する画面である。表示画面７は、情報表示部Ｇ７１を含む。情報表示部Ｇ７１は、交換部品表示部Ｇ７１Ａと、交換可能部品表示部Ｇ７１Ｂと、設定変更ボタンＧ７１Ｃと、を含む。交換部品表示部Ｇ７１Ａは、交換部品表示部Ｇ５１と同様である。交換可能部品表示部Ｇ７１Ｂは、交換部品表示部Ｇ７２と、カウント／リミット表示部Ｇ７３と、駆動モード表示部Ｇ７４と、給紙ローラＢボタンＧ７１Ｄと、給紙ローラＣボタンＧ７１Ｅと、を有する。交換部品表示部Ｇ７２は、交換時期に到達した駆動部品３００と同等の駆動動作が可能な駆動部品３００の名称を示す。カウント／リミット表示部Ｇ７３、駆動モード表示部Ｇ７４は、交換部品表示部５１のカウント／リミット表示部Ｇ５３、駆動モード表示部Ｇ５４とそれぞれ同様である。給紙ローラＢボタンＧ７１Ｄは、駆動部品３００として給紙ローラＢを選択する場合に押下されるボタンである。給紙ローラＣボタンＧ７１Ｅは、駆動部品３００として給紙ローラＣを選択する場合に押下されるボタンである。設定変更ボタンＧ７１Ｃは、駆動部品３００を変更するためのボタンである。
【００５４】
図７の場合、表示画面Ｇ７において、交換部品表示部Ｇ７１Ａには、「給紙ローラＡ」の情報（すなわち、給紙ローラＡの名称、給紙ローラＡの駆動カウント数、給紙ローラＡの駆動モード３０１、給紙ローラＡの駆動情報）が表示される。また、交換可能部品表示部Ｇ７１Ｂには、「給紙ローラＡ」と同等の駆動動作が可能な駆動部品「給紙ローラＢ」、「給紙ローラＣ」の情報（すなわち、給紙ローラＢの名称、紙ローラＢの駆動カウント数、給紙ローラＢの駆動モード３０１、ローラＢの駆動情報、給紙ローラＣの名称、給紙ローラＣの駆動カウント数、給紙ローラＣの駆動モード３０１、給紙ローラＣの駆動情報）が表示部１１４に表示される。
【００５５】
そして、ユーザは、表示画面Ｇ７を参照し、駆動部品３００の選択入力を行う。例えば、ユーザが「給紙ローラＢ」「給紙ローラＣ」のうち、「給紙ローラＢ」を選択するとする。この場合、ユーザは、操作部１１３を介して給紙ローラＢボタンＧ７１Ｄを押下し、その後、設定変更ボタンＧ７１Ｃを押下する。設定変更ボタンＧ７１Ｃが押下されると、図８に示す表示画面Ｇ８が表示部１１４に表示される。  
【００５６】
表示画面８は、設定変更された駆動部品３００で用いられるトレイを表示する画面である。表示画面Ｇ８は、トレイ設定ボタンＧ６１を含む。例えば、図７の表示画面Ｇ７において、「給紙ローラＡ」から「給紙ローラＢ」に駆動部品３００が設定変更されると、図８に示すようにトレイボタン６１Ｂが選択された状態となる。
【００５７】
次に、図９を参照して、表示画面Ｇ９について説明する。表示画面Ｇ９は、所定の使用頻度（すなわち、交換時期）に到達した駆動部品３００の情報を表示部１１４に表示するか否か、又は交換時期に到達した駆動部品と同等の駆動動作が可能な駆動部品３００がある場合に、当該駆動部品３００を駆動させるか否か（すなわち、駆動部品３００の設定変更を行うか否か）を設定する画面である。表示画面Ｇ９は、表示設定部Ｇ９１と、変更可否設定部Ｇ９２と、を有する。
【００５８】
表示設定部Ｇ９１は、交換時期に到達した駆動部品３００の情報を表示部１１４に表示するか否かを設定する画面である。表示設定部Ｇ９１は、「あり」ボタンＧ９１Ａと、「なし」ボタンＧ９１Ｂと、を有する。例えば、ユーザにより操作部１１３を介して「あり」ボタンＧ９１Ａが押下されたとする。この場合、図５の表示画面Ｇ５における交換部品表示部Ｇ５１、又は図７の表示画面Ｇ７１が表示部１１４に表示される。一方、ユーザにより操作部１１３を介して「なし」ボタンＧ９１Ｂが押下されたとする。この場合、図５の交換部品表示部Ｇ５１は表示部１１４に表示されない。
【００５９】
変更可否設定部Ｇ９２は、交換時期に到達した駆動部品３００がある場合に、交換時期に到達した駆動部品と同等の駆動動作を行う駆動部品３００に変更するか否かを設定する画面である。変更可否設定部Ｇ９２は、「可」ボタンＧ９２Ａと、「不可」ボタンＧ９２Ｂと、を有する。例えば、表示設定部Ｇ９１の「あり」ボタンＧ９１Ａが押下された後、ユーザにより「可」ボタンＧ９２Ａが押下されたとする。この場合、図７の表示画面Ｇ７１が表示される。一方、ユーザにより「不可」ボタンＧ９２Ｂが押下されたとする。この場合、図５の交換部品表示部Ｇ５１、又は図７の表示画面Ｇ７１の交換部品表示部Ｇ７１Ａのみが表示部１１４に表示される。この場合、交換部品表示部Ｇ７１Ａ及び交換可能部品表示部Ｇ７１Ｂが表示部１１４に表示されることとしてもよい。
【００６０】
次に、図１０を参照して、画像形成装置１において実行される設定変更処理について説明する。設定変更処理とは、交換時期に到達した駆動部品３００を当該駆動部品３００と同等の駆動動作が可能な駆動部品３００に設定変更する処理である。
【００６１】
例えば、画像形成装置１において、ユーザより設定変更処理の実行指示が操作部１１３を介して操作されたこと等をトリガとして、ＲＯＭから読み出されて適宜ＲＡＭに展開された設定変更プログラムと、制御部１１０のＣＰＵとの協働により設定変更処理が実行される。  
【００６２】
予め、表示画面Ｇ９において、表示設定部Ｇ９１の「あり」ボタンＧ９１Ａ及び変更可否設定部Ｇ９２の「可」ボタンＧ９２Ａがユーザにより押下されているものとする。また、表示画面Ｇ６において、トレイボタンＧ６１Ａがユーザにより押下されているものとする。
【００６３】
先ず、判別テーブル３Ａから駆動部品情報が取得される（ステップＳ１１）。駆動部品情報とは、駆動している駆動部品３００のことをいう。例えば、「給紙ローラＡ」が駆動している場合、判別テーブル３Ａから「給紙ローラＡ」が取得される。そして、給紙ローラＡのカウントデータが取得される（ステップＳ１２）。カウントデータは、記憶部１１２に記憶されているカウントテーブル（図示省略）から取得される。
【００６４】
ステップＳ１２の実行後、給紙ローラＡの使用頻度が所定の割合に到達しているか否かが判別される（ステップＳ１３）。所定の割合とは、給紙ローラＡの駆動カウント数が駆動リミット値に対して約８０％の割合であることをいう。具体的には、本ステップは、カウントテーブルから取得された駆動カウント数を参照して、給紙ローラＡの駆動カウント数が駆動リミット値に対して約８０％に到達しているか否かが判別される。給紙ローラＡの使用頻度が所定の割合に到達していないと判別された場合（ステップＳ１３；ＮＯ）、設定変更処理は終了される。給紙ローラＡの使用頻度が所定の割合に到達していると判別された場合（ステップＳ１３；ＹＥＳ）、給紙ローラＡの名称と、給紙ローラＡのカウントデータと、駆動モード３０１の給紙トレイ３０１Ａと、駆動情報「トレイ１」と、が表示部１１４に表示される（ステップＳ１４）。本ステップは、図５の表示画面Ｇ５が表示部１１４に表示される動作に該当する。
【００６５】
ステップＳ１４の実行後、Ｎ＝１に設定される（ステップＳ１５）。Ｎとは、判別テーブル３Ａに記憶されている駆動部品３００の個数を示している。そして、判別テーブル３Ａに記憶されているＮ番目の駆動部品３００は、給紙ローラＡと同じ駆動モード３０１「給紙トレイ」で、駆動情報が「トレイ１」でないか否かが判別される（ステップＳ１６）。例えば、判別テーブル３Ａにおいて、給紙ローラＢは、判別テーブル３Ａの上から２番目のレコードに記憶されている（すなわち、Ｎ＝２）。この場合、本ステップにおいて、判別情報を参照して、給紙ローラＢは給紙ローラＡと同じ駆動モード３０１の給紙トレイ３０１Ａであるか否かの判別、かつ、駆動情報を参照して、駆動情報が「トレイ１」でないか否かが判別される。
【００６６】
ステップＳ１６において、Ｎ番目の駆動部品は、給紙ローラＡと同じ駆動モード３０１の給紙トレイ３０１Ａで、駆動情報が「トレイ１」でないと判別された場合（ステップＳ１６；ＹＥＳ）、Ｎ番目の駆動部品３００の名称と、駆動カウント数（カウントデータ）と、駆動モード３０１「給紙トレイ」と、駆動情報「トレイ２」と、が表示部１１４に表示される（ステップＳ１７）。例えば、Ｎ番目の駆動部品３００が給紙ローラＢであるとする。この場合、判別テーブル３Ａの給紙ローラＢにおける駆動モード３０１の判別情報は「可」であるので、給紙ローラＡと同じ駆動動作を行う駆動部品３００であると判別される。また、給紙ローラＢの駆動情報「トレイ２」が判別テーブル３Ａから取得される。そして、用紙設定テーブル４Ａの「トレイ１」と、「トレイ２」と、の用紙設定情報が一致するか否かが判別される。用紙設定テーブル４Ａにおいて、「トレイ１」と、「トレイ２」と、の用紙設定情報が一致する場合、記憶部１１２に記憶されているカウントデータテーブルが参照され、給紙ローラＢが交換時期に到達していないかが判別される。給紙ローラＢが交換時期に到達していないと判別された場合、駆動モード３０１「給紙トレイ」と、駆動情報「トレイ２」と、が判別テーブル３Ａから取得され、カウントデータがカウントテーブルから取得される。そして、取得されたカウントデータと、駆動モード３０１の給紙トレイ３０１Ａと、駆動情報「トレイ２」と、が表示部１１４に表示される。本ステップは、表示画面Ｇ７を表示部１１４に表示させる動作に該当する。ステップＳ１７の実行後、後述するステップＳ１８に移行される。
【００６７】
ステップＳ１６において、Ｎ番目の駆動部品は、給紙ローラＡと同じ駆動モード３０１「給紙トレイ」で、駆動情報「トレイ１」であると判別された場合（ステップＳ１６；ＮＯ）、全部品の検索は終了したか否かが判別される（ステップＳ１８）。具体的には、判別テーブル３Ａを参照して、判別テーブル３Ａに記憶されている駆動部品３００の検索が全て終了したか否かが判別される。全部品の検索は終了していないと判別された場合（ステップＳ１８；ＮＯ）、Ｎ＝Ｎ＋１に設定される（ステップＳ１９）。すなわち、判別テーブル３Ａに記憶されている駆動部品３００の検索が続行される。ステップＳ１９の実行後、ステップＳ１６に移行される。
【００６８】
ステップＳ１８において、全部品の検索は終了したと判別された場合（ステップＳ１８；ＹＥＳ）、表示部１１４に交換可能部品表示部Ｇ７１Ｂが表示されたか否かが判別される（ステップＳ２０）。具体的には、判別テーブル３Ａに記憶された駆動部品３００の中に給紙ローラＡと同等な駆動動作が可能な駆動部品３００が存在するか否かが判別される。判別テーブル３Ａに記憶された駆動部品３００の中に給紙ローラＡと同等な駆動動作が可能な駆動部品３００が存在する場合は、表示部１１４に交換可能部品表示部Ｇ７１Ｂが表示される。判別テーブル３Ａに記憶された駆動部品３００の中に給紙ローラＡと同等な駆動動作が可能な駆動部品３００が存在しない場合は、表示部１１４に交換可能部品表示部Ｇ７１Ｂは表示されない。ステップＳ２０において、表示部１１４に交換可能部品表示部Ｇ７１Ｂが表示されなかったと判別された場合（ステップＳ２０；ＮＯ）、設定変更処理は終了される。
【００６９】
ステップＳ２０において、表示部１１４に交換可能部品表示部Ｇ７１Ｂが表示された場合（ステップＳ２０；ＹＥＳ）、表示された駆動部品３００の中から選択入力が受け付けられ、設定変更ボタンＧ７１Ｃが押下されたか否かが判別される（ステップＳ２１）。例えば、表示画面Ｇ７が表示部１１４に表示され、ユーザが給紙ローラＢを選択するとする。この場合、操作部１１３を介して給紙ローラＢボタンＧ７１Ｄの選択入力が受け付けられる。そして、設定変更ボタンＧ７１Ｃが押下されたか否かが判別される。
【００７０】
ステップＳ２１において、表示された駆動部品３００の中から選択入力が受け付けられ、設定変更ボタンＧ７１Ｃが押下されていないと判別された場合（ステップＳ２１；ＮＯ）、ステップＳ２１に移行される。ステップＳ２１において、表示された駆動部品３００の中から選択入力が受け付けられ、設定変更ボタンＧ７１Ｃが押下されたと判別された場合（ステップＳ２０；ＹＥＳ）、駆動モード３０１の駆動情報が設定変更される（ステップＳ２２）。例えば、駆動情報が「トレイ１」から「トレイ２」に設定変更される。ステップＳ２２の実行後、設定変更処理は終了される。
【００７１】
以上、本実施の形態によれば、駆動部３００の中に使用頻度が所定の割合に到達した給紙ローラＡがある場合、当該給紙ローラＡの駆動に関する情報（給紙ローラＡの名称、給紙ローラＡの駆動カウント数、給紙ローラＡの駆動モード３０１、給紙ローラの駆動情報）及び給紙ローラＢ、給紙ローラＣの駆動に関する情報（給紙ローラＢの名称、給紙ローラＢの駆動カウント数、給紙ローラＢの駆動モード３０１、給紙ローラＢの駆動情報、給紙ローラＣの名称、給紙ローラＣの駆動カウント数、給紙ローラＣの駆動モード３０１、給紙ローラＣの駆動情報）を表示部１１４に表示させる。これにより、ユーザは、給紙ローラＢ、給紙ローラＣの情報を参照できるので、給紙ローラＡの使用頻度が所定の割合に到達した場合に、当該給紙ローラＡと同等の駆動動作（例えば、サイズが同じ用紙を給紙する動作）が可能な給紙ローラＢ、給紙ローラＣを駆動させるための手間を軽減することができる。
【００７２】
また、駆動部３００の使用頻度を含んだ情報（駆動モード３０１、判別情報、駆動情報、使用頻度）を参照して、給紙ローラＢ、給紙ローラＣが存在するか否かを判別する。これにより、使用頻度の高い駆動部３００の駆動を避けることができるので、駆動部３００の消耗の均一化を図ることができる。また、駆動部３００の消耗の均一化を図ることができるので、駆動部３００の交換時期が集中化し、駆動部３００の交換時期ごとにメンテナンス作業を行う必要がなくなる。また、駆動部３００の交換時期が集中化することにより、機器が使用できない時間（ダウンタイム）の低減を図ることができる。
【００７３】
また、表示部１１４に表示された給紙ローラＢ、給紙ローラＣの情報のうち、給紙ローラＢの情報の選択入力が操作部１１３により受け付けられた場合（すなわち給紙ローラＢボタン７１Ｄが操作部１１３を介して受け付けられた場合）、当該受け付けられた情報に対応する駆動モードに設定を変更する。これにより、ユーザは、所望の駆動部３００を駆動させることができる。したがって、交換時期に到達した駆動部３００の変更が強制的（自動的）に行われる画像形成装置と比べて、所望の駆動部が選択されないことによるユーザの不満を招くことがない。
【００７４】
また、ユーザは、給紙ローラＡの駆動動作を示す情報（給紙ローラＡの名称、給紙ローラＡの駆動カウント数、給紙ローラＡの駆動モード３０１、給紙ローラの駆動情報）を表示部１１４に表示するか否かの設定入力、又は給紙ローラＢ（又は給紙ローラＣ）を駆動する駆動モードに設定を変更するか否かの設定入力を行うことができる。
【００７５】
また、駆動部品３００を給紙駆動機構である給紙ローラＡ〜Ｃ、反転排紙機機構である反転排紙ローラ及び反転排紙切替ソレノイドとすることができる。
【００７６】
（変形例）
図１２及び図１３を参照して、本発明に係る実施の形態の変形例を説明する。図１２に本発明に係る画像形成システム１００の回路構成を示す。以下、画像形成装置１と同様な部分には同一の符号を付し、その詳細な説明を援用し、異なる部分について説明する。
【００７７】
画像形成システム１００は、図１２に示すように、複数の画像形成装置１（画像形成装置１ａ，１ｂ，１ｃ）と、通信ネットワークＮと、を備えて構成される。画像形成装置１ａ，１ｂ，１ｃは、通信ネットワークＮを介して有線又は無線で互いに通信可能に接続する。
【００７８】
画像形成装置１ａ、１ｂ、１ｃは、上記実施の形態で記載した画像形成装置１にそれぞれ該当する。画像形成装置１ａは、第１の制御部としての制御部１１０ａと、画像入力部１１１ａと、記憶部１１２ａと、操作部１１３ａと、表示部１１４ａと、画像処理部１１５ａと、プリント制御部１１６ａと、プリント部１１７ａと、第１の通信部としての通信部１１８ａと、カウント部１１９ａと、後処理装置１２０ａと、を備える。また、画像形成装置１ｂは、第２の制御部としての制御部１１０ｂと、画像入力部１１１ｂと、第２の記憶部としての記憶部１１２ｂと、操作部１１３ｂと、表示部１１４ｂと、画像処理部１１５ｂと、プリント制御部１１６ｂと、プリント部１１７ｂと、第２の通信部としての通信部１１８ｂと、カウント部１１９ｂと、後処理装置１２０ｂと、を備える。各部は、画像形成装置１の制御部１１０、画像入力部１１１、記憶部１１２、操作部１１３、表示部１１４、画像処理部１１５、プリント制御部１１６、プリント部１１７、通信部１１８、カウント部１１９、後処理装置１２０にそれぞれ該当する。
【００７９】
次に、図１３を参照して、画像形成装置１ａ、１ｂで行われる第１の処理、第２の処理について説明する。先ず、画像形成装置１ａで実行される第１の処理について説明する。例えば、画像形成装置１ａの設定変更処理において、ステップＳ２０；ＮＯで設定変更処理が終了された場合、ステップＳ２０；ＮＯで設定変更処理が終了したことをトリガとして、ＲＯＭから読み出されて適宜ＲＡＭに展開された第１のプログラムと、制御部１１０ａのＣＰＵとの協働により第１の処理が実行される。
以下、使用頻度が所定の割合に到達した駆動部品（給紙ローラＡ）と同等の駆動動作を行う駆動部品（給紙ローラＢ、給紙ローラＣ）が画像形成装置１ｂに存在するものとして説明する。
【００８０】
先ず、通信部１１８ａを介して画像形成装置１ｂに給紙ローラＢ、給紙ローラＣが存在するか否かを判別する要求が送信される（ステップＳ１０１）。そして、通信部１１８ａを介して画像形成装置１ｂから給紙ローラＢ、給紙ローラＣが存在する旨の信号（存在情報）が受信される（ステップＳ１０２）。そして、受信した給紙ローラＢ、給紙ローラＣの情報が画像形成装置１ａの表示部１１４ａに表示される（ステップＳ１０３）。このとき、図７で示した表示画面Ｇ７が表示部１１４ａに表示される（ステップＳ１０４）。そして、操作部１１３ａを介して、給紙ローラＢボタンＧ７１Ｄの選択入力が受け付けられ、給紙ローラＢを駆動させる駆動要求が通信部１１８ａを介して画像形成装置１ｂに送信される（ステップＳ１０５）。ステップＳ１０５の実行後、第１の処理は終了される。
【００８１】
次に、画像形成装置１ｂで実行される第２の処理について説明する。例えば、画像形成装置１ｂにおいて、通信部１１８ｂを介して第１の処理のステップＳ１０１における要求を受信開始したことをトリガとして、ＲＯＭから読み出されて適宜ＲＡＭに展開された第２のプログラムと、制御部１１０ｂのＣＰＵとの協働により第２の処理が実行される。
【００８２】
先ず、第１の処理のステップＳ１０１に対応して、通信部１１８ｂを介して画像形成装置１ａから給紙ローラＢ、給紙ローラＣが存在するか否か判別する要求が受信される（ステップＳ２０１）。そして、記憶部１１２ｂに記憶された判別テーブル３Ａ、用紙設定テーブル４Ａ及びカウントテーブルが参照され、給紙ローラＢ、給紙ローラＣが存在するか否かが判別される（ステップＳ２０２）。そして、給紙ローラＢ、給紙ローラＣが存在すると判別された場合に給紙ローラＢ、給紙ローラＣが存在することを示す情報（存在情報）が通信部１１８ｂを介して画像形成装置１ａに送信される（ステップＳ２０３）。そして、第１の処理のステップＳ１０５に対応して、通信部１１８ｂを介して駆動要求が受信される（ステップＳ２０４）。そして、受信された駆動要求に対応する給紙ローラＢが駆動され、第２の処理は終了される。
【００８３】
以上、本変形例によれば、画像形成装置１ａに給紙ローラＢ、給紙ローラＣが存在せず、画像形成装置１ｂに給紙ローラＢ、給紙ローラＣが存在する場合、ユーザにより選択された画像形成装置１ｂに存在する駆動部品（例えば、給紙ローラＢ）を駆動させることができる。
【００８４】
なお、上記実施の形態及び変形例における記述は、本発明に係る画像形成装置１の一例であり、これに限定されるものではない。
【００８５】
例えば、上記実施の形態では、設定変更処理のステップＳ１７において、駆動モード３０１を給紙トレイ３０１Ａ、Ｎ番目の駆動部品を給紙ローラＢとして説明したが、これに限定されるものではない。例えば、駆動モードを反転排紙３０１Ｂ、Ｎ番目の駆動部品を反転排紙ローラとしてもよい、この場合、出力される用紙Ｐの枚数が１枚、又は原稿の枚数が１枚で且つ両面から片面への画像形成以外である場合は、反転排紙ローラは駆動する必要がない。このため、出力される用紙Ｐの枚数が１枚、又は原稿の枚数が１枚で且つ両面から片面への画像形成する場合以外であることが駆動の条件となる。
【００８６】
また、駆動部品３００は、判別テーブル３Ａに示すように、給紙ローラＡ〜Ｃ、反転排紙ローラ、反転排紙切替ソレノイドとしたがこれに限定されるものではない。例えば、駆動部品３００を、排紙駆動機構としての中綴じ機サブトレイ排紙ローラ（中綴じ機（製本機）のサブトレイへ用紙を排出するためのローラ）、製本機サブトレイ排紙ローラ（製本機から用紙を排出するためのローラ）としてもよい。
【００８７】
その他、上記実施の形態における画像形成装置１の細部構成及び詳細動作に関しても、本発明の趣旨を逸脱しない範囲で適宜変更可能である。
【図面の簡単な説明】
【００８８】
【図１】本発明に係る画像形成装置の概略構成を示す図である。
【図２】画像形成装置の内部構成を示すブロック図である。
【図３】判別テーブルを示す図である。
【図４】用紙設定テーブルを示す図である。
【図５】使用頻度が所定の割合に到達した駆動部品の情報を表示する画面を示す図である。
【図６】駆動部品の駆動モードを設定するための画面を示す図である。
【図７】交換時期に到達した駆動部品の駆動に関する情報及び当該駆動部品と同等の駆動動作が可能な駆動部品の駆動に関する情報を表示する画面を示す図である。
【図８】設定変更された駆動部品で用いられるトレイを表示する画面を示す図である。
【図９】所定の使用頻度に到達した駆動部品の駆動に関する情報を表示部に表示するか否か、又は所定の頻度に到達した駆動部品がある場合に、所定の使用頻度に到達した駆動部品と同等の駆動動作が可能な駆動部品を駆動させるか否かを設定する画面を示す図である。
【図１０】設定変更処理の示すフローチャートである。
【図１１】設定変更処理を示すフローチャートである。
【図１２】画像形成システムを示す図である。
【図１３】第１の処理、第２の処理を示すフローチャートである。
【符号の説明】
【００８９】
１，１ａ，１ｂ，１ｃ 画像形成装置
３Ａ   判別テーブル
４Ａ   用紙設定テーブル
１０   自動原稿搬送装置
１１   原稿載置トレイ
１２   給紙ローラ
１３   密着ローラ
１４   案内ローラ
１５   切替爪
１６   反転ローラ
１７   排紙トレイ
２０   原稿読取装置
２３   光源
２４   ミラー
２５   露光走査部
２６   ラインイメージセンサ
２７   集光レンズ
２８   各種ミラー
３０   プリンタ装置
３１   レーザユニット
３２   感光体
３３   帯電装置
３４   現像装置
３５   転写装置
３６   分離装置
３７   クリーニング装置
４０   給紙部
４１Ａ，４１Ｂ，４１Ｃ      給紙カセット
４２Ａ，４２Ｂ，４２Ｃ      給紙ローラ
５０   搬送部
５１   交換部品表示部
５８   定着装置
６０ａ 通常搬送路
６０ｂ 反転搬送路
６１   搬送路切替爪
６１Ｂ トレイボタン
６２   反転ローラ
６３   排紙センサ
６４   排紙部
１００ 画像形成システム
１１０，１１０ａ，１１０ｂ  制御部
１１０Ａ      表示制御部
１１０Ｂ      判別部
１１０Ｃ      駆動制御部
１１１，１１１ａ，１１１ｂ  画像入力部
１１２，１１２ａ，１１２ｂ  記憶部
１１３，１１３ａ，１１３ｂ  操作部
１１４，１１４ａ，１１４ｂ  表示部
１１５，１１５ａ，１１５ｂ  画像処理部
１１６，１１６ａ，１１６ｂ  プリント制御部
１１７，１１７ａ，１１７ｂ  プリント部
１１８，１１８ａ，１１８ｂ  通信部
１１９，１１９ａ，１１９ｂ  カウント部
１２０，１２０ａ，１２０ｂ  後処理装置
２００，３００スタッカ装置
【図１】
2009122512.tif 000003
【図２】
2009122512.tif 000004
【図３】
2009122512.tif 000005
【図４】
2009122512.tif 000006
【図５】
2009122512.tif 000007
【図６】
2009122512.tif 000008
【図７】
2009122512.tif 000009
【図８】
2009122512.tif 000010
【図９】
2009122512.tif 000011
【図１０】
2009122512.tif 000012
【図１１】
2009122512.tif 000013
【図１２】
2009122512.tif 000014
【図１３】
2009122512.tif 000015